(57)【要約】【課題】ＰＲＭＬ識別方式を用いる場合において、ディスクに最適な記録パラメータを決定する際の、ＰＬＬ回路のキャプチャレンジを広げることができることができるようにする。【解決手段】本発明に係る光ディスク装置１においては、ＰＬＬ回路２９は再生信号に基づく再生クロック信号を生成し、ＣＰＵ３８は、光ディスク４２に記録されたテストデータを再生する際の再生信号がＰＬＬ回路でロックされたか否かを判定し、テストデータを再生する際の再生信号がＰＬＬ回路でロックされていないと判定された場合、スピンドルモータ制御回路４を制御してディスクの速度を上げるように変更し、ＣＰＵ３８はテストデータを再生する際の再生信号の評価指標と、テストデータを再生する際の再生信号に基づいて算出されるストラテジ補正値に従い、光ディスク４２にユーザデータを記録する際に用いられる記録パラメータを決定する。【選択図】  図１
2008152846.tif 000002
【特許請求の範囲】
【請求項１】
再生信号に基づく再生クロック信号を生成するＰＬＬ回路と、
ディスクの所定の領域に記録されたテストデータを再生する際の再生信号が前記ＰＬＬ回路においてロックされたか否かを判定する第１の判定手段と、
前記第１の判定手段により前記ディスクの所定の領域に記録されたテストデータを再生する際の再生信号が前記ＰＬＬ回路においてロックされていないと判定された場合、前記ディスクの速度を上げるように変更する変更手段と、
前記ディスクに記録されたテストデータを再生する際の再生信号の評価指標と、前記ディスクに記録されたテストデータを再生する際の再生信号に基づいて算出されるストラテジ補正値に従い、前記ディスクにユーザデータを記録する際に用いられる記録パラメータを決定する決定手段とを備えることを特徴とする光ディスク装置。
【請求項２】
前記ディスクの速度が所定の範囲内の速度であるか否かを判定する第２の判定手段をさらに備え、
前記第２の判定手段により前記ディスクの速度が所定の範囲内の速度ではないと判定された場合、前記変更手段は、前記ディスクの速度を前記所定の範囲内の速度になるように変更することを特徴とする請求項１に記載の光ディスク装置。
【請求項３】
再生信号に基づく再生クロック信号を生成するＰＬＬ回路を備える光ディスク装置の光ディスク記録再生方法において、
ディスクの所定の領域に記録されたテストデータを再生する際の再生信号が前記ＰＬＬ回路においてロックされたか否かを判定する第１の判定ステップと、
前記第１の判定ステップの処理により前記ディスクの所定の領域に記録されたテストデータを再生する際の再生信号が前記ＰＬＬ回路においてロックされていないと判定された場合、前記ディスクの速度を上げるように変更する変更ステップと、
前記ディスクに記録されたテストデータを再生する際の再生信号の評価指標と、前記ディスクに記録されたテストデータを再生する際の再生信号に基づいて算出されるストラテジ補正値に従い、前記ディスクにユーザデータを記録する際に用いられる記録パラメータを決定する決定ステップとを含むことを特徴とする光ディスク装置の光ディスク記録再生方法。
【発明の詳細な説明】
【技術分野】
【０００１】
本発明は光ディスク装置および光ディスク記録再生方法に係り、特に、ＰＲＭＬ識別方式を用いる場合において、記録パラメータを決定することができるようにした光ディスク装置および光ディスク記録再生方法に関する。
【背景技術】
【０００２】
近年、ＣＤ（Compact Disc）−Ｒ／ＲＷやＤＶＤ（Digital Versatile Disc）−Ｒ／ＲＷ、ＨＤ（High Definition）−ＤＶＤ−Ｒ／ＲＷなどの記録可能な光ディスクにデータを記録する際、光ディスクの所定の領域（ＰＣＡ（Power Calibration Area））に記録パラメータ（例えば記録パワーやライト・ストラテジなど）を変化させてテストデータを試し書きし、試し書きされたテストデータを再生することでそれぞれのディスクに最適な記録パラメータ（例えば記録パワーやライト・ストラテジなど）を決定する技術が提案されている。
【０００３】
最適な記録パラメータを決定する技術には、例えば、再生信号の非対称性（アシンメトリ）やジッタを用いて最適な記録パラメータを決定する技術が知られている。
【０００４】
最近では、光ディスクの高密度化に伴い、Ｓ／Ｎの確保と符号間干渉の低減のために、ＰＲＭＬ（Partial Response and Maximum likelihood）識別方式が採用されてきている。このＰＲＭＬ識別方式では、記録再生特性に応じたＰＲ（Partial Response）特性が用いられる。
【０００５】
このＰＭＲＬ識別方式を採用した光ディスク装置において、最適な記録パラメータを決定することができる技術が提案されている（例えば特許文献１参照）。
【０００６】
特許文献１に提案されている技術によれば、ＰＲＭＬ識別方式に適した信号評価方法による評価値を指標として、記録パラメータを決定することができる。これにより、ＰＭＲＬ識別方式を採用した光ディスク装置において、最適な記録パラメータを短時間で決定することができる。
【特許文献１】特開２００５−３４６８４７号公報
【発明の開示】
【発明が解決しようとする課題】
【０００７】
しかしながら、特許文献１に提案されている技術では、ＰＲＭＬ識別方式に適した信号評価方法による評価値を指標として記録パラメータを決定することはできるが、各種の光ディスクの中には同じ種類の光ディスクであっても良質品だけでなく粗悪品も存在しており、光ディスクの記録パラメータを決定しようとしてもＰＬＬ（Phase Locked Loop）回路により再生信号を同期（ロック）することができない状況が発生する場合がある。
【０００８】
特に、高密度化が図られている例えばＨＤ  ＤＶＤ−Ｒ／ＲＷなどの光ディスクにおいては、最短マーク長は２Ｔであり、この最短マーク長２Ｔのマークやスペースを記録再生した際の再生信号振幅は非常に小さいものとなることから、同様に、光ディスクの記録パラメータを決定しようとしてもＰＬＬ回路により再生信号を同期（ロック）することができない状況が発生する場合がある。
【０００９】
このような場合、再生信号のアシンメトリを測定することができず、また、再生信号の評価指標を測定することができず、その結果、この光ディスクに最適な記録パラメータを決定することができないという課題があった。
【００１０】
本発明は、このような状況に鑑みてなされてものであり、ＰＲＭＬ識別方式を用いる場合において、ディスクに最適な記録パラメータを決定する際の、ＰＬＬ回路のキャプチャレンジを広げることができる光ディスク装置および光ディスク記録再生方法を提供することを目的とする。
【課題を解決するための手段】
【００１１】
本発明の光ディスク装置は、上述した課題を解決するために、再生信号に基づく再生クロック信号を生成するＰＬＬ回路と、ディスクの所定の領域に記録されたテストデータを再生する際の再生信号がＰＬＬ回路においてロックされたか否かを判定する第１の判定手段と、第１の判定手段によりディスクの所定の領域に記録されたテストデータを再生する際の再生信号がＰＬＬ回路においてロックされていないと判定された場合、ディスクの速度を上げるように変更する変更手段と、ディスクに記録されたテストデータを再生する際の再生信号の評価指標と、ディスクに記録されたテストデータを再生する際の再生信号に基づいて算出されるストラテジ補正値に従い、ディスクにユーザデータを記録する際に用いられる記録パラメータを決定する決定手段とを備えることを特徴とする。
【００１２】
本発明の光ディスク装置の光ディスク記録再生方法は、上述した課題を解決するために、再生信号に基づく再生クロック信号を生成するＰＬＬ回路を備える光ディスク装置の光ディスク記録再生方法において、ディスクの所定の領域に記録されたテストデータを再生する際の再生信号がＰＬＬ回路においてロックされたか否かを判定する第１の判定ステップと、第１の判定ステップの処理によりディスクの所定の領域に記録されたテストデータを再生する際の再生信号がＰＬＬ回路においてロックされていないと判定された場合、ディスクの速度を上げるように変更する変更ステップと、ディスクに記録されたテストデータを再生する際の再生信号の評価指標と、ディスクに記録されたテストデータを再生する際の再生信号に基づいて算出されるストラテジ補正値に従い、ディスクにユーザデータを記録する際に用いられる記録パラメータを決定する決定ステップとを含むことを特徴とする。
【００１３】
本発明の光ディスク装置においては、再生信号に基づく再生クロック信号が生成され、ディスクの所定の領域に記録されたテストデータを再生する際の再生信号がＰＬＬ回路においてロックされたか否かが判定され、ディスクの所定の領域に記録されたテストデータを再生する際の再生信号がＰＬＬ回路においてロックされていないと判定された場合、ディスクの速度が上げるように変更され、ディスクに記録されたテストデータを再生する際の再生信号の評価指標と、ディスクに記録されたテストデータを再生する際の再生信号に基づいて算出されるストラテジ補正値に従い、ディスクにユーザデータを記録する際に用いられる記録パラメータが決定される。
【００１４】
本発明の光ディスク装置の光ディスク記録再生方法においては、ディスクの所定の領域に記録されたテストデータを再生する際の再生信号がＰＬＬ回路においてロックされたか否かが判定され、ディスクの所定の領域に記録されたテストデータを再生する際の再生信号がＰＬＬ回路においてロックされていないと判定された場合、ディスクの速度が上げるように変更され、ディスクに記録されたテストデータを再生する際の再生信号の評価指標と、ディスクに記録されたテストデータを再生する際の再生信号に基づいて算出されるストラテジ補正値に従い、ディスクにユーザデータを記録する際に用いられる記録パラメータが決定される。
【発明の効果】
【００１５】
本発明によれば、ＰＲＭＬ識別方式を用いる場合において、ディスクに最適な記録パラメータを決定する際の、ＰＬＬ回路のキャプチャレンジを広げることができる。
【発明を実施するための最良の形態】
【００１６】
以下、本発明の実施の形態について、図面を参照しながら説明する。
【００１７】
図１は、本発明に係る光ディスク装置１の構成を表している。
【００１８】
光ディスク装置１は、例えばＤＶＤ（Digital Versatile Disc）−Ｒ／ＲＷ、ＨＤ（High Definition）−ＤＶＤ−Ｒ／ＲＷなど情報記録媒体としての光ディスク４２に対して情報の記録及びＰＲＭＬ識別方式を用いた再生を行う。光ディスク４２は、同心円状または螺旋状に溝が刻まれており、溝の凹部をランド、凸部をグルーブと呼び、グループまたはランドの一周をトラックと呼ぶ。ユーザデータは、このトラック（グルーブのみ、またはグルーブおよびランド）に沿って、強度変調されたレーザ光が照射されて記録マークが形成されることにより光ディスク４２上に記録される。データ再生は、記録時より弱いリードパワー(Read Power)のレーザ光をトラックに沿って照射して、トラック上にある記録マークによる反射光強度の変化を検出することにより行われる。書き換え型媒体（ＤＶＤ−ＲＷ，ＨＤ  ＤＶＤ−ＲＷなど）において記録されたデータの消去は、リードパワーより強いイレースパワー(Erase Power)のレーザ光をトラックに沿って照射し、記録層を結晶化することにより行われる。
【００１９】
光ディスク４２はスピンドルモータ２によって回転駆動される。スピンドルモータ２に付設されたロータリエンコーダ２ａからスピンドルモータ駆動回路３に回転角信号が出力される。スピンドルモータ２が１回転すると、回転角信号は例えば５パルス発生する。これにより、スピンドルモータ制御回路４は、スピンドルモータ駆動回路３を介してロータリエンコーダ２ａから入力された回転角信号に基づいて、スピンドルモータ２の回転角度および回転数を判定することができる。このスピンドルモータ２はスピンドルモータ制御回路４により制御される。
【００２０】
光ディスク４２に対する情報の記録または再生は、光ピックアップ５によって行われる。光ピックアップ５は、ギア１８およびスクリューシャフト１９を介して送りモータ２０と連結されており、この送りモータ２０は送りモータ駆動回路２１により制御される。送りモータ２０が送りモータ駆動回路２１から供給された送りモータ駆動電流によって回転することで、光ピックアップ５が光ディスク４２の半径方向に移動する。
【００２１】
光ピックアップ５には、図示しないワイヤあるいは板バネによって支持された対物レンズ６が設けられる。対物レンズ６はフォーカスアクチュエータ８の駆動によりフォーカシング方向（レンズの光軸方向）への移動が可能であり、また、トラッキングアクチュエータ７の駆動によりトラッキング方向（レンズの光軸と直交する方向）への移動が可能である。
【００２２】
レーザ駆動回路１７は、情報記録時（マーク形成時）に、ホスト装置４３からインタフェース回路４１を介して供給される記録データに基づいて、書き込み用信号をレーザダイオード（レーザ発光素子）９に供給する。また、レーザ駆動回路１７は、情報読取り時に、書き込み信号より小さい読取り用信号をレーザダイオード９に供給する。
【００２３】
フロントモニタ・フォトダイオード１０は、レーザダイオード９が発生するレーザ光の一部をハーフミラー１１により一定比率だけ分岐し、光量すなわち照射パワーに比例した受光信号を検出し、検出された受光信号をレーザ駆動回路１７に供給する。レーザ駆動回路１７はフロントモニタ・フォトダイオード１０から供給された受光信号を取得し、取得された受光信号に基づいて、ＣＰＵ３８により予め設定された再生時のレーザパワー（照射パワー）、記録時のレーザパワー、および消去時のレーザパワーで発光するようにレーザダイオード９を制御する。
【００２４】
レーザダイオード９は、レーザ駆動回路１７から供給される信号に応じてレーザ光を発光する。レーザダイオード９から発光されるレーザ光は、コリメータレンズ１２、ハーフプリズム１３、および対物レンズ６を介して光ディスク３９上に照射される。光ディスク４２からの反射光は、対物レンズ６、ハーフプリズム１３、集光レンズ１４、およびシリンドリカルレンズ１５を介して、光検知器１６に導かれる。
【００２５】
光検知器１６は、例えば４分割の光検知セルからなり、検知信号を生成し、生成された検知信号をＲＦアンプ２３に出力する。ＲＦアンプ２３は、光検知器１６からの検知信号を処理し、ジャストフォーカスからの誤差を示すフォーカス誤差信号（ＦＥ）、レーザ光のビームスポット中心とトラック中心との誤差を示すトラッキング誤差信号（ＴＥ）、および検知信号の全加算信号である再生信号（ＲＦ）を生成し、生成されたフォーカス誤差信号（ＦＥ）、トラッキング誤差信号（ＴＥ）、および再生信号（ＲＦ）をＡ／Ｄ変換器３０に供給する。
【００２６】
フォーカス制御回路２５は、ＲＦアンプ２３からＡ／Ｄ変換器３０を介して取り込まれたフォーカス誤差信号（ＦＥ）に応じてフォーカス制御信号を生成し、生成されたフォーカス制御信号をフォーカスアクチュエータ駆動回路２４に供給する。フォーカスアクチュエータ駆動回路２４は、フォーカス制御回路２５から供給されたフォーカス制御信号に基づいて、フォーカスアクチュエータ８を駆動するためのフォーカスアクチュエータ駆動電流をフォーカシング方向のフォーカスアクチュエータ８に供給する。これにより、レーザ光が光ディスク４２の記録膜上に常時ジャストフォーカスとなるフォーカスサーボが行われる。
【００２７】
トラック制御回路２７は、ＲＦアンプ２３からＡ／Ｄ変換器３０を介して取り込まれたトラッキング誤差信号（ＴＥ）に応じてトラッキング制御信号を生成し、生成されたトラッキング制御信号をトラッキングアクチュエータ駆動回路２６に供給する。トラッキングアクチュエータ駆動回路２６は、トラッキング制御回路２７から供給されたトラッキング制御信号に基づいて、トラッキングアクチュエータ７を駆動するためのトラッキングアクチュエータ駆動電流をトラッキング方向のトラッキングアクチュエータ７に供給する。これにより、レーザ光が光ディスク４２上に形成されたトラック上を常にトレースするトラッキングサーボが行われる。
【００２８】
このようなフォーカスサーボおよびトラッキングサーボがなされることで、光検知器１６（各光検知セル）からの検知信号の全加算信号である再生信号（ＲＦ）には、記録情報に対応して光ディスク４２のトラック上に形成されたマーク（またはピット）などからの反射光の変化が反映される。この再生信号は微弱なアナログ信号であり、ＲＦアンプ２３により増幅されて、Ａ／Ｄ変換器３０において一定周波数でサンプリングされた後、データ再生回路３１に供給される。また、データ再生回路３１は、Ａ／Ｄ変換器３０から供給される再生信号の振幅やオフセットの補正を行うとともに、ＰＬＬ（Phase Locked Loop）回路２９にて再生クロック信号に同期した信号へと変換した上で等化器３２に出力する。
【００２９】
等化器３２は、任意のＰＲ特性を用いて、データ再生回路３１から入力された再生信号を任意のＰＲ特性に近い等化再生信号に変換し、変換された等化再生信号をビタビ復号回路３３、評価指標測定回路３５、およびＤＥＭ（Detection Error Minimization）演算回路３６に出力する。ビタビ復号回路３３は、等化器３２から入力された等化再生信号とのユークリッド距離が最も小さいパスを選択し、選択されたパスに対応する符号ビット系列を復号データとしてエラー訂正回路３４に出力するとともに、この復号データを等化器３２、評価指標測定回路３５、およびＤＥＭ演算回路３６にも出力する。
【００３０】
評価指標測定回路３５は、等化器３２とビタビ復号回路３３からそれぞれ入力された等化再生信号と復号データに基づいて、再生信号の評価指標として例えばＰＲＳＮＲ（Partial Response Signal to Noise Ratio）やＳｂＥＲ（Simulated Bit Error Rate）、アシンメトリなどを算出し、算出されたＰＲＳＮＲやＳｂＥＲ、アシンメトリなどに関するデータをバス３７を介してＣＰＵ３８に供給する。
【００３１】
ＤＥＭ演算回路３６は、等化器３２とビタビ復号回路３３からそれぞれ入力された等化再生信号と復号データに基づいて、設定されたストラテジの補正値であるストラテジ補正値を算出し、算出されたストラテジ補正値をバス３７を介してＣＰＵ３８に供給する。
【００３２】
ＣＰＵ３８は、ＲＦアンプ２３から出力された後にＡ／Ｄ変換器３０を介してディジタル信号に変換されたフォーカス誤差信号（ＦＥ）およびトラッキング誤差信号（ＴＥ）などのディジタル信号に種々の演算処理を施し、スピンドルモータ制御回路４、送りモータ制御回路２２、フォーカス制御回路２５、およびトラッキング制御回路２７の制御を行う。
【００３３】
また、レーザ駆動回路１７、ＰＬＬ回路２９、Ａ／Ｄ変換器３０、およびエラー訂正回路３４などは、バス３７を介してＣＰＵ（Central Processing Unit）３８によって制御される。ＣＰＵ３８は、インタフェース回路４１を介してホスト装置４３から供給される動作コマンドに従うとともに、ＲＯＭ（Read Only Memory）３９に記憶されているプログラムおよびＲＯＭ３９からＲＡＭ（Random Access Memory）４０にロードされたプログラムに従って各種の処理を実行し、種々の制御信号を生成し、各部に供給することにより光ディスク装置１を統括的に制御する。
【００３４】
ところで、特許文献１に提案されている技術では、ＰＲＭＬ識別方式に適した信号評価方法による評価値を指標として記録パラメータを決定することはできるが、各種の光ディスク４２の中には同じ種類の光ディスク４２であっても良質品だけでなく粗悪品も存在しており、光ディスク４２の記録パラメータを決定しようとしてもＰＬＬ（Phase Locked Loop）回路２９により再生信号を同期（ロック）することができない状況が発生する場合がある。
【００３５】
特に、高密度化が図られている例えばＨＤ  ＤＶＤ−Ｒ／ＲＷなどの光ディスク４２においては、最短マーク長は２Ｔであり、図２［Ａ］に示されるように、この最短マーク長２Ｔのマークや２Ｔのスペースを記録再生した際の再生信号振幅は非常に小さいものとなることから、光ディスクの記録パラメータを決定しようとしてもＰＬＬ回路２９により再生信号を同期（ロック）することができない状況が発生する場合がある。
【００３６】
また、光ディスク４２にユーザデータを記録する際に用いられる初期設定のライト・ストラテジが不適切である場合には、光ディスク４２の所定の領域（ＰＣＡ（Power Calibration Area））に形成されるマークの形状が良好ではなくなってしまい、例えば２Ｔマークが１．８Ｔマークや２．２Ｔマークなどに形成されてしまい、同様に、光ディスク４２の記録パラメータを決定しようとしてもＰＬＬ回路２９により再生信号を同期（ロック）することができない状況が発生する場合がある。
【００３７】
このような場合、再生信号のアシンメトリを測定することができず、また、再生信号の評価指標を測定することができず、その結果、この光ディスクに最適な記録パラメータを決定することができない。これにより、光ディスク４２にユーザデータを記録することができなくなってしまう。
【００３８】
そこで、ＰＬＬ回路により再生信号を同期（ロック）することができないと判定された場合、光ディスク４２の線速度（回転速度）を適正な線速度よりも上げて、テストデータを記録再生するようにする。これにより、光ディスク４２上に記録された例えば２Ｔマークが占める空間長（例えば２Ｔマークをレーザビームが通過する時間）が長くなり、すなわち、光ディスク４２に記録されるテストデータの記録密度が時間軸を保ったまま低くなり、例えば図２［Ｂ］および［Ｃ］に示されるように再生信号振幅が大きくなる。その結果、再生信号のＳ／Ｎ比がよくなり、光ディスク４２に記録されたマークが短い場合であっても、あるいは、ライト・ストラテジが不適切であった場合であっても、ＰＬＬ回路により再生信号を同期（ロック）することが可能となる。なお、図２［Ｂ］は、光ディスク４２の線速度（回転速度）を中速に上げてテストデータの記録再生を行った場合における再生信号振幅を示しており、図２［Ｃ］は、光ディスク４２の線速度（回転速度）を高速に上げてテストデータの記録再生を行った場合における再生信号振幅を示している。
【００３９】
以下、この方法を用いた図１の光ディスク装置１における記録パラメータ決定処理について説明する。
【００４０】
図３のフローチャートを参照して、図１の光ディスク装置１における記録パラメータ決定処理について説明する。この記録パラメータ決定処理は、ユーザにより光ディスク装置１に光ディスク４２が挿入され、ホスト装置４３の図示せぬ操作部が操作されることにより記録処理を開始するとの指示がなされることで光ディスク４２にユーザデータを記録する際に、予め開始される。
【００４１】
ステップＳ１において、ＣＰＵ３８は、光ディスク４２にユーザデータを記録する際に用いる記録パラメータ（例えば記録パワーやライト・ストラテジなど）の初期値をＲＯＭ３９から読み出し、読み出された記録パラメータの初期値に基づいて、光ディスク４２にユーザデータを記録する際に用いられる記録パラメータを初期設定する。
【００４２】
ここで、図４を参照して、光ディスク４２に記録する記録波形と、記録用信号波形との対応関係を示すライト・ストラテジについて説明する。
【００４３】
例えば図４［Ａ］に示されるように、記録波形（記録用符号）は例えば「６Ｔ」（「１」が６ビット連続する記録用符号）や「３Ｔ」（「１」が３ビット連続する記録用符号）に分類することができる。このとき、例えば「６Ｔ」の記録用符号を光ディスク４２に記録する場合、単純に６Ｔのパルス幅のレーザを光ディスク４２に照射したとしても、記録時に光ディスク４２のディスク面において熱だまりなどが生じるため、図４［Ｂ］に示される良好な「６Ｔ」のマーク形状を形成することはできない。そこで、例えば図４［Ｃ］に示されるように、複数に分割されたパルスから構成されるマルチパルス列のレーザを光ディスク４２に照射するようにする。これにより、記録時に光ディスク４２のディスク面において生じる熱だまりなど影響を受けることなく、良好なマーク形状を形成することができる。
【００４４】
このようにレーザを複数に分割されたパルスから構成する構成方法を「ライト・ストラテジ」という。例えばライト・ストラテジを設定する場合には、分割する分割パルスの数や各分割パルスのパルス幅などが設定される。
【００４５】
なお、良好なマーク形状を光ディスク４２上で形成するための最適なライト・ストラテジは、「６Ｔ」や「３Ｔ」という符号系列によって異なるだけでなく、記録媒体である光ディスク４２の種類や材質などによっても微妙に異なる。そのため、記録品質（記録品位）が向上するように、それぞれの光ディスク４２に応じて最適なライト・ストラテジに決定する必要がある。
【００４６】
ステップＳ２において、ＣＰＵ３８は、バス３７を介して光ピックアップ５、ＲＦアンプ２３、フォーカス制御回路２５、およびトラッキング制御回路２７などを制御し、初期設定された記録パラメータを用いて光ディスク４２の所定の領域（ＰＣＡ（Power Calibration Area））に記録動作を行う。これにより、初期設定された記録パラメータを用いて、光ディスク４２に所定のテストデータが記録される。
【００４７】
ステップＳ３において、ＣＰＵ３８は、バス３７を介して光ピックアップ５、ＲＦアンプ２３、フォーカス制御回路２５、およびトラッキング制御回路２７などを制御し、初期設定された記録パラメータを用いて記録されたテストデータの再生動作を行う。
【００４８】
ステップＳ４において、ＣＰＵ３８は、ＰＬＬ回路２９の図示せぬレジスタを読み出し、初期設定された記録パラメータで記録されたテストデータを再生した際に、ＰＬＬ回路２９において再生信号がロック（同期）されたか（すなわち、再生クロック信号が正しく生成されているか否か）否かを判定する。
【００４９】
例えばＰＬＬ回路２９が再生信号を正しくロックしていたならばＰＬＬ回路２９の図示せぬレジスタは１を示し、再生信号を正しくロックしていなければＰＬＬ回路２９の図示せぬレジスタは０を示す。
【００５０】
ステップＳ４においてＰＬＬ回路２９において再生信号がロック（同期）されていない（すなわち、再生クロック信号が正しく生成されていない）と判定された場合、ＣＰＵ３８はステップＳ５で、スピンドルモータ制御回路４などを制御し、光ディスク４２の線速度（回転速度）を適正な速度から例えば高速に上げるように変更する。
【００５１】
その後、処理はステップＳ２に戻り、ステップＳ２以降の処理が繰り返して実行される。すなわち、ステップＳ２乃至Ｓ３の処理により、光ディスク４２の線速度（回転速度）が適正な線速度から例えば高速な線速度に上げられた状態でテストデータの記録再生が行われ、ステップＳ４においてテストデータの記録再生時にＰＬＬ回路２９において再生信号がロックされたか否かが再度判定される。
【００５２】
上述したように、光ディスク４２の線速度（回転速度）を適正な線速度よりも上げて例えば高速な線速度でテストデータが記録再生されると、光ディスク４２上に記録されたマークが占める空間長（例えば２Ｔマークをレーザビームが通過する時間）が長くなり、すなわち、記録密度が低くなり、例えば図２［Ｃ］に示されるように再生信号振幅が大きくなる。その結果、再生信号のＳ／Ｎ比がよくなり、光ディスク４２に記録されたマークが短い場合であっても、あるいは、ライト・ストラテジが不適切であった場合であっても、ＰＬＬ回路において再生信号をより容易に同期（ロック）することが可能となる。
【００５３】
そして、ＰＬＬ回路２９において再生信号がロックされたと判定されるまで、ステップＳ２乃至Ｓ５の処理が繰り返し実行されることで、光ディスク４２の線速度（回転速度）が上げられる。
【００５４】
なお、光ディスク４２の線速度（回転速度）を適正な線速度から例えば高速な線速度に上げて記録再生を行っても、依然としてＰＬＬ回路２９において再生信号をロックすることができない場合には、さらにステップＳ５の処理において光ディスク４２の線速度（回転速度）を高速の線速度から上げるように変更してもよい。
【００５５】
勿論、光ディスク４２の線速度を上げる場合、適正な線速度から中速そして高速と徐々に速度を上げるようにしてもよいし、より段階的に光ディスク４２の線速度を上げるようにしてもよい。
【００５６】
ステップＳ４においてＰＬＬ回路２９において再生信号がロック（同期）された（すなわち、再生クロック信号が正しく生成されている）と判定された場合、ＣＰＵ３８はステップＳ６で、データ再生回路３１、等化器３２、ビタビ復号回路３３、および評価指標測定回路３５を制御し、テストデータを記録再生した際の再生信号のアシンメトリを測定する。
【００５７】
具体的には、等化器３２は、任意のＰＲ特性を用いて、データ再生回路３１から入力された再生信号を任意のＰＲ特性に近い等化再生信号に変換し、変換された等化再生信号をビタビ復号回路３３および評価指標測定回路３５に出力する。ビタビ復号回路３３は、等化器３２から入力された等化再生信号とのユークリッド距離が最も小さいパスを選択し、選択されたパスに対応する符号ビット系列を復号データとして等化器３２および評価指標測定回路３５に出力する。
【００５８】
評価指標測定回路３５は、等化器３２とビタビ復号回路３３からそれぞれ入力された等化再生信号と復号データに基づいて、再生信号の評価指標としてアシンメトリを算出（測定）し、算出（測定）されたアシンメトリに関するデータをバス３７を介してＣＰＵ３８に供給する。
【００５９】
ステップＳ７において、ＣＰＵ３８は、評価指標測定回路３５から供給された再生信号のアシンメトリに関するデータを取得し、取得された再生信号のアシンメトリに関するデータに基づいて、測定された再生信号のアシンメトリが予め設定された規格値の範囲内であるか否かを判定する。
【００６０】
ステップＳ７において測定された再生信号のアシンメトリが予め設定された規格値の範囲内ではないと判定された場合、ＣＰＵ３８はステップＳ８で、再生信号のアシンメトリが予め設定された規格値の範囲内になるように、初期設定された記録パラメータに含まれる記録パワーの設定値を変更する。
【００６１】
その後、処理はステップＳ２に戻り、ステップＳ２以降の処理が繰り返して実行される。すなわち、ステップＳ２乃至Ｓ３の処理により、初期設定された記録パラメータのうち記録パワーの設定値が変更された状態でテストデータの記録再生が行われた後、ステップＳ４以降の処理が実行され、ステップＳ７において測定された再生信号のアシンメトリが予め設定された規格値の範囲内であるか否かが再度判定される。
【００６２】
これにより、再生信号のアシンメトリが予め設定された規格値の範囲内になるまで、ステップＳ２乃至Ｓ８の処理が繰り返し実行され（例えば２、３回など繰り返して実行され）、再生信号のアシンメトリが予め設定された規格値の範囲内になるように、初期設定された記録パラメータに含まれる記録パワーの設定値が変更される。
【００６３】
ステップＳ７において測定された再生信号のアシンメトリが予め設定された規格値の範囲内であると判定された場合、ＣＰＵ３８は、データ再生回路３１、等化器３２、ビタビ復号回路３３、評価指標測定回路３５、およびＤＥＭ演算回路３６を制御し、ＤＥＭ演算を行う。
【００６４】
具体的には、ＤＥＭ演算回路３６は、ＣＰＵ３８の制御に従い、等化器３２とビタビ復号回路３３からそれぞれ入力された等化再生信号と復号データに基づいて、初期設定されたライト・ストラテジの補正値であるストラテジ補正値を算出する。
【００６５】
例えば図５に示されるように、等化再生信号と、正しいデータパターンおよび正しいデータパターンから前寄りと後寄りにシフトした前寄りデータパターンと後寄りデータパターンとのユークリッド距離の差を算出することでストラテジ補正値を算出する。
【００６６】
ＤＥＭ演算回路３６は、算出されたストラテジ補正値をバス３７を介してＣＰＵ３８に供給する。
【００６７】
ステップＳ１０において、ＣＰＵ３８は、ＤＥＭ演算回路３６から供給されたストラテジ補正値を取得し、取得されたストラテジ補正値が所定の値に収束したか否かを判定する。ステップＳ１０において取得されたストラテジ補正値が所定の値に収束していないと判定された場合、ＣＰＵ３８はステップＳ１１で、取得されたストラテジ補正値に基づいて、初期設定されたライト・ストラテジを補正する。
【００６８】
その後、処理はステップＳ２に戻り、ステップＳ２以降の処理が繰り返して実行される。すなわち、ステップＳ２乃至Ｓ３の処理により、初期設定された記録パラメータのうちライト・ストラテジが補正された（反映された）状態でテストデータの記録再生が行われた後、ステップＳ４以降の処理が実行され、ステップＳ１０において取得されたストラテジ補正値が所定の値に収束したか否かが再度判定される。
【００６９】
これにより、ＤＥＭ演算回路３６により算出されたストラテジ補正値が所定の値に収束するまで、繰り返し算出されたストラテジ補正値に基づいてライト・ストラテジが補正される。
【００７０】
ステップＳ１０において取得されたストラテジ補正値が所定の値に収束したと判定された場合、ＣＰＵ３８はＳ１２で、光ディスク４２の現在の線速度（回転速度）が適正な線速度（回転速度）であるか否かを判定する（すなわち、光ディスク４２の現在の線速度（回転速度）が適正な所定の範囲内の線速度（回転速度）であるか否かを判定する）。
【００７１】
具体的には、ステップＳ５においてＰＬＬ回路２９で再生信号をロックすることができるように光ディスク４２の線速度が例えば高速の線速度に上げられて変更された場合には、光ディスク４２の現在の線速度（回転速度）が適正な線速度（回転速度）ではないと判定される。
【００７２】
ステップＳ１２において光ディスク４２の現在の線速度（回転速度）が適正な線速度（回転速度）ではないと判定された場合（すなわち、光ディスク４２の現在の線速度（回転速度）が適正な線速度よりも上げられていると判定された場合）、ＣＰＵ３８はステップＳ１３で、スピンドルモータ制御回路４などを制御し、光ディスク４２の線速度（回転速度）を例えば現在の高速な線速度から適正な線速度に下げるように変更する。
【００７３】
これにより、光ディスク４２の線速度（回転速度）は例えば高速な線速度から適正な線速度に下げられる。
【００７４】
その後、処理はステップＳ２に戻り、ステップＳ２以降の処理が繰り返して実行される。すなわち、ステップＳ２乃至Ｓ３の処理により、光ディスク４２の線速度（回転速度）が適正な速度から例えば適正な線速度にされた状態でテストデータの記録再生が行われて、ステップＳ４以降の処理が実行された後、ステップＳ１２において光ディスク４２の現在の線速度（回転速度）が適正な線速度（回転速度）であるか否かが再度判定される。
【００７５】
ステップＳ１２において光ディスク４２の現在の線速度（回転速度）が適正な線速度（回転速度）であると判定された場合、ＣＰＵ３８はステップＳ１４で、データ再生回路３１、等化器３２、ビタビ復号回路３３、および評価指標測定回路３５を制御し、テストデータを記録再生した際の再生信号の評価指標を測定する。
【００７６】
具体的には、等化器３２は、任意のＰＲ特性を用いて、データ再生回路３１から入力された再生信号を任意のＰＲ特性に近い等化再生信号に変換し、変換された等化再生信号をビタビ復号回路３３および評価指標測定回路３５に出力する。ビタビ復号回路３３は、等化器３２から入力された等化再生信号とのユークリッド距離が最も小さいパスを選択し、選択されたパスに対応する符号ビット系列を復号データとして等化器３２および評価指標測定回路３５に出力する。
【００７７】
評価指標測定回路３５は、等化器３２とビタビ復号回路３３からそれぞれ入力された等化再生信号と復号データに基づいて、再生信号の評価指標として例えばＰＲＳＮＲやＳｂＥＲを算出し、算出されたＰＲＳＮＲやＳｂＥＲに関するデータをバス３７を介してＣＰＵ３８に供給する。
【００７８】
ステップＳ１５において、ＣＰＵ３８は、評価指標測定回路３５から供給されたＰＲＳＮＲやＳｂＥＲに関するデータに基づいて、算出された再生信号の評価指標が予め設定された規格値の範囲内であるか否かを判定する。ステップＳ１５において再生信号の評価指標が予め設定された規格値の範囲内ではないと判定された場合、ＣＰＵ３８はステップＳ１６で、再生信号の評価指標が予め設定された規格値の範囲内となるように、初期設定されたライト・ストラテジを変更する。これにより、光ディスク４２にユーザデータを記録する際に用いられるライト・ストラテジを、この光ディスク４２に最適なライト・ストラテジに変更することができる。
【００７９】
その後、処理はステップＳ２に戻り、ステップＳ２以降の処理が実行される。すなわち、ステップＳ２乃至Ｓ３の処理により、初期設定されたライト・ストラテジから変更されたライト・ストラテジを用いてテストデータの記録再生が行われて、ステップＳ４以降の処理が実行された後、ステップＳ１５において算出された再生信号の評価指標が予め設定された規格値の範囲内であるか否かが再度判定される。
【００８０】
これにより、算出された再生信号の評価指標が予め設定された規格値の範囲内であると判定されるまで、ステップＳ２乃至Ｓ１６の処理が繰り返し実行されることで、光ディスク４２にユーザデータを記録する際に用いられるライト・ストラテジが変更される。
【００８１】
ステップＳ１５において算出された再生信号の評価指標が予め設定された規格値の範囲内であると判定された場合、ＣＰＵ３８はステップＳ１７で、光ディスク４２にユーザデータを記録する際の記録パラメータを、現在の記録パラメータ（記録パワーとライト・ストラテジ）に決定する。
【００８２】
すなわち、ステップＳ２乃至Ｓ１６の処理が繰り返し実行されることで、初期設定された記録パラメータのうちの記録パワーが変更された現在の記録パワーと、ストラテジ補正値に基づいて補正された現在のライト・ストラテジ（または、さらに、再生信号の評価指標が予め設定された規格値の範囲内になるように変更されたライト・ストラテジ）に、光ディスク４２にユーザデータを記録する際の記録パラメータが決定される。
【００８３】
図６は、ある１つの光ディスク４２にユーザデータを記録する際に用いられる最適なライト・ストラテジのうち、例えばパルス幅を最適値（最適なパルス幅）からずらした上で従来の記録パラメータ決定処理または図３の記録パラメータ決定処理を実行した場合における、ＰＬＬ回路２９のロック状態を示す実験結果を表している。図６の横軸は記録用信号波形のパルス幅（Ｔ／４０）を示しており、縦軸はＰＬＬ回路２９における再生信号のロック状態を示している。
【００８４】
なお、図６の例の場合、ＨＤ  ＤＶＤ−Ｒの単層式の光ディスク４２で１倍速でテストデータの記録再生を行った。
【００８５】
例えば図２［Ｃ］に示される先頭パルスのパルス幅Ｗ先頭と最終パルスのパルス幅Ｗ最終を最適値（最適なパルス幅）から広げる方向と狭める方向に徐々にずらしていく。このとき、例えば図６の実線ａに示されるように、従来の記録パラメータ決定処理を実行した場合には、広げる方向に（１６／４０）Ｔずらし、狭める方向に（−１２／４０）ＴずらすところまでしかＰＬＬ回路２９において再生信号をロック（同期）することはできないが、図６の破線ｂに示されるように、図３の記録パラメータ決定処理を実行した場合には、広げる方向に（２２／４０）Ｔずらし、狭める方向に（−１４／４０）ＴずらすところまでＰＬＬ回路２９において再生信号をロック（同期）することはできる。すなわち、ＰＬＬ回路２９において再生信号をロックすることが可能なキャプチャレンジを広げることができる。
【００８６】
本発明の実施形態においては、光ディスク４２に最適な記録パラメータを決定する際に、ＰＬＬ回路２９において再生信号がロックされたか否かを判定し、ＰＬＬ回路２９において再生信号がロックされていないと判定された場合、光ディスク４２の線速度を適正な線速度から上げるように変更し、光ディスク４２の線速度（回転速度）が適正な線速度から例えば高速な線速度に上げられた状態でテストデータの記録再生を行い、テストデータの記録再生時にＰＬＬ回路２９において再生信号がロックされたか否かを再度判定することができる。
【００８７】
また、その後、ＰＬＬ回路２９において再生信号がロックされたと判定された場合、光ディスク４２の所定の領域（ＰＣＡ領域）に記録されたテストデータを再生した場合における再生信号のアシンメトリを測定し、測定された再生信号のアシンメトリが予め設定された規格値の範囲内ではないときには、測定された再生信号のアシンメトリが予め設定された規格値の範囲内になるように、記録パラメータのうちの記録パワーを変更することができる。
【００８８】
さらに、等化再生信号と復号データに基づいてＤＥＭ演算を行い、設定されたストラテジの補正値であるストラテジ補正値を算出し、算出されたストラテジ補正値が所定の値に収束しない場合、ストラテジ補正値に基づいて初期設定されたライト・ストラテジを補正することができる。
【００８９】
そして、その後、光ディスク４２の現在の線速度が適正な線速度であるか否かを判定し、光ディスク４２の現在の線速度が適正な線速度ではないと判定された場合、光ディスク４２の線速度を適正な線速度に下げるように変更し、光ディスク４２の線速度（回転速度）が適正な線速度に下げられた状態でテストデータの記録再生を行い、評価指標を測定した上で、光ディスク４２にユーザデータを記録する際の記録パラメータを、現在の記録パラメータ（記録パワーとライト・ストラテジ）に決定することができる。
【００９０】
これにより、ＰＲＭＬ識別方式を用いる場合において、光ディスク４２に最適な記録パラメータを決定する際の、ＰＬＬ回路２９のキャプチャレンジを広げることができる。その結果、再生信号のアシンメトリの計測範囲を広げることができ、ＤＥＭ演算の適用範囲を広げることができる。従って、ＰＲＭＬ識別方式を用いる場合において、光ディスク４２に最適な記録パラメータを確実に決定することができる。従って、光ディスク４２にユーザデータを記録する際の記録品質（記録品位）を向上させることができる。
【００９１】
なお、本発明の実施形態において説明した一連の処理は、ソフトウェアにより実行させることもできるが、ハードウェアにより実行させることもできる。
【００９２】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００９３】
【図１】本発明に係る光ディスク装置の内部の構成を示すブロック図。
【図２】光ディスクの線速度を適正な線速度よりも上げてテストデータを記録再生した場合における再生信号振幅を示す図。
【図３】図１の光ディスク装置における記録パラメータ決定処理を説明するフローチャート。
【図４】光ディスクに記録する記録波形と記録用信号波形との対応関係を示すライト・ストラテジを説明する説明図。
【図５】ＤＥＭ演算によるストラテジ補正値を算出する算出方法を説明する説明図。
【図６】パルス幅を最適値からずらした上で従来の記録パラメータ決定処理または図３の記録パラメータ決定処理を実行した場合における、ＰＬＬ回路のロック状態を示す実験結果を表す図。
【符号の説明】
【００９４】
１…光ディスク装置、２…スピンドルモータ、２ａ…ロータリエンコーダ、３…スピンドルモータ駆動回路、４…スピンドル制御回路、５…光ピックアップ、６…対物レンズ、７…トラッキングアクチュエータ、８…フォーカスアクチュエータ、９…レーザダイオード、１０…フロントモニタ・フォトダイオード、１１…ハーフミラー、１２…コリメータレンズ、１３…ハーフプリズム、１４…集光レンズ、１５…シリンドリカルレンズ、１６…光検出器、１７…レーザ駆動回路、１８…ギア、１９…スクリューシャフト、２０…送りモータ、２１…送りモータ駆動回路、２２…送りモータ制御回路、２３…ＲＦアンプ、２４…フォーカスアクチュエータ駆動回路、２５…フォーカスアクチュエータ制御回路、２６…トラッキングアクチュエータ駆動回路、２７…トラッキング制御回路、２８…水晶、２９…ＰＬＬ回路、３０…Ａ／Ｄ変換器、３１…データ再生回路、３２…等化器、３３…ビタビ復号回路、３４…エラー訂正回路、３５…評価指標測定回路、３６…ＤＥＭ演算回路、３７…バス、３８…ＣＰＵ、３９…ＲＯＭ、４０…ＲＡＭ、４１…インタフェース回路、４２…光ディスク、４３…ホスト装置。
【図１】
2008152846.tif 000003
【図２】
2008152846.tif 000004
【図３】
2008152846.tif 000005
【図４】
2008152846.tif 000006
【図５】
2008152846.tif 000007
【図６】
2008152846.tif 000008